(57)【要約】【課題】用途に応じて情報記録媒体の再生許否の指示が行える情報記録媒体記録技術等を提供する。【解決手段】記録情報に対して所定の処理を施し複数の情報単位を生成すると共に、各情報単位の夫々についてのスキャン再生及びジャンプ再生の少なくともいずれか一方を許可するか否かを示す再生許可情報を含む付加情報を生成するコントローラ１と、生成された情報単位と、生成された付加情報と、を、光ディスク６に記録するマスタリング装置５と、を備え、再生許可情報が、複数の情報単位を予め設定された所定の再生手順に従って再生する際、当該再生許可情報が対応する情報単位の前に再生されるべき他の情報単位の最後が再生された場合に、当該再生許可情報が対応する情報単位の再生を許可することを示す再生許可情報である。【選択図】図１
2007265608.tif 000002
【特許請求の範囲】
【請求項１】
記録情報に対して所定の処理を施し複数の情報単位を生成する情報単位生成手段と、
各前記情報単位の夫々についてのスキャン再生及びジャンプ再生の少なくともいずれか一方を許可するか否かを示す再生許可情報を含む付加情報を生成する付加情報生成手段と、
前記生成された情報単位と、前記生成された付加情報と、を、情報記録媒体に記録する記録手段と、
を備え、
更に前記再生許可情報が、複数の前記情報単位を予め設定された所定の再生手順に従って再生する際、当該再生許可情報が対応する前記情報単位の前に再生されるべき他の前記情報単位の最後が再生された場合に、当該再生許可情報が対応する前記情報単位の再生を許可する再生許可情報であることを特徴とする情報記録装置。
【請求項２】
請求項１に記載の情報記録装置において、
複数の前記情報単位が一つの表示単位を構成し、当該一つの表示単位を構成する複数の前記情報単位に夫々対応する前記再生許可情報が同一であることを特徴とする情報記録装置。
【請求項３】
請求項１又は２に記載の情報記録装置において、
前記情報単位は、ビデオパケットとオーディオパケットとを含むことを特徴とする情報記録装置。
【請求項４】
請求項１から３のいずれか一項に記載の情報記録装置において、
前記付加情報は、前記再生許可情報に加えて、アドレス情報と属性情報を更に含むことを特徴とする情報記録装置。
【請求項５】
請求項１から４のいずれか一項に記載の情報記録装置において、
各前記情報単位及び前記付加情報に対してエラー訂正コードの付加及び所定の変調を施す変調手段を更に備え、
前記記録手段は、当該エラー訂正コードの付加及び当該変調後の各前記情報単位及び前記付加情報を前記情報記録媒体に記録することを特徴とする情報記録装置。
【請求項６】
記録情報に対して所定の処理を施し複数の情報単位を生成する情報単位生成工程と、
各前記情報単位の夫々についてのスキャン再生及びジャンプ再生の少なくともいずれか一方を許可するか否かを示す再生許可情報を含む付加情報を生成する付加情報生成工程と、
前記生成された情報単位と、前記生成された付加情報と、を、情報記録媒体に記録する記録工程と、
を含み、
更に前記再生許可情報が、複数の前記情報単位を予め設定された所定の再生手順に従って再生する際、当該再生許可情報が対応する前記情報単位の前に再生されるべき他の前記情報単位の最後が再生された場合に、当該再生許可情報が対応する前記情報単位の再生を許可する再生許可情報であることを特徴とする情報記録方法。
【請求項７】
請求項６に記載の情報記録方法において、
複数の前記情報単位が一つの表示単位を構成し、当該一つの表示単位を構成する複数の前記情報単位に夫々対応する前記再生許可情報が同一であることを特徴とする情報記録方法。
【請求項８】
請求項６又は７に記載の情報記録方法において、
前記情報単位は、ビデオパケットとオーディオパケットとを含むことを特徴とする情報記録方法。
【請求項９】
請求項６から８のいずれか一項に記載の情報記録方法において、
前記付加情報は、前記再生許可情報に加えて、アドレス情報と属性情報を更に含むことを特徴とする情報記録方法。
【請求項１０】
請求項６から９のいずれか一項に記載の情報記録方法において、
各前記情報単位及び前記付加情報に対してエラー訂正コードの付加及び所定の変調を施す変調工程を更に含み、
前記記録工程においては、当該エラー訂正コードの付加及び当該変調後の各前記情報単位及び前記付加情報を前記情報記録媒体に記録することを特徴とする情報記録方法。
【請求項１１】
記録情報に対して所定の処理を施して夫々生成された複数の情報単位と、各前記情報単位の夫々についてのスキャン再生及びジャンプ再生の少なくともいずれか一方を許可するか否かを示す再生許可情報を含む付加情報と、が記録されている情報記録媒体であって、前記再生許可情報が、複数の前記情報単位を予め設定された所定の再生手順に従って再生する際、当該再生許可情報が対応する前記情報単位の前に再生されるべき他の前記情報単位の最後が再生された場合に、当該再生許可情報が対応する前記情報単位の再生を許可する再生許可情報である情報記録媒体を再生する情報再生装置であって、
前記情報記録媒体から前記情報単位及び前記付加情報を読み取る読取手段と、
前記読み取られた付加情報から前記再生許可情報を抽出する抽出手段と、
前記所定の再生手順に従って前記読み取られた複数の情報単位を再生する際、前記抽出された再生許可情報の内容に基づき、当該各情報単位の夫々についてのスキャン再生及びジャンプ再生の少なくともいずれか一方を許可するか否かを判断する制御手段と、
を備えることを特徴とする情報再生装置。
【請求項１２】
請求項１１に記載の情報再生装置において、
前記情報単位を再生し外部に音声信号又は映像信号として出力する出力手段を更に備えることを特徴とする請求項１１に記載の情報再生装置。
【請求項１３】
請求項１１又は１２に記載の情報再生装置において、
複数の前記情報単位が一つの表示単位を構成し、当該一つの表示単位を構成する複数の前記情報単位に夫々対応する前記再生許可情報が同一であることを特徴とする特徴とする情報再生装置。
【請求項１４】
請求項１１から１３のいずれか一項に記載の情報再生装置において、
前記情報単位は、ビデオパケットとオーディオパケットとを含むことを特徴とする情報再生装置。
【請求項１５】
請求項１１から１４のいずれか一項に記載の情報再生装置において、
前記付加情報は、前記再生許可情報に加えて、アドレス情報と属性情報を更に含むことを特徴とする情報再生装置。
【請求項１６】
請求項１１から１５のいずれか一項に記載の情報再生装置において、
前記制御手段は、前記情報単位が前記所定の再生手順で再生されているかを判断し、当該所定の再生手順で再生されている場合は、当該情報単位を再生することを特徴とする情報再生装置。
【請求項１７】
請求項１１から１６のいずれか一項に記載の情報再生装置において、
前記制御手段は、いずれかの前記情報単位の再生を禁止する場合は、当該いずれかの情報単位の直前の表示を静止画表示することを特徴とする情報再生装置。
【請求項１８】
記録情報に対して所定の処理を施して夫々生成された複数の情報単位と、各前記情報単位の夫々についてのスキャン再生及びジャンプ再生の少なくともいずれか一方を許可するか否かを示す再生許可情報を含む付加情報と、が記録されている情報記録媒体であって、前記再生許可情報が、複数の前記情報単位を予め設定された所定の再生手順に従って再生する際、当該再生許可情報が対応する前記情報単位の前に再生されるべき他の前記情報単位の最後が再生された場合に、当該再生許可情報が対応する前記情報単位の再生を許可する再生許可情報である情報記録媒体を再生する情報再生方法であって、
前記情報記録媒体から前記情報単位及び前記付加情報を読み取る読取工程と、
前記読み取られた付加情報から前記再生許可情報を抽出する抽出工程と、
前記所定の再生手順に従って前記読み取られた複数の情報単位を再生する際、前記抽出された再生許可情報の内容に基づき、当該各情報単位の夫々についてのスキャン再生及びジャンプ再生の少なくともいずれか一方を許可するか否かを判断する制御工程と、
を含むことを特徴とする情報再生方法。
【請求項１９】
請求項１８に記載の情報再生方法において、
前記情報単位を再生し外部に音声信号又は映像信号として出力する出力工程を更に含むことを特徴とする請求項１８に記載の情報再生方法。
【請求項２０】
請求項１８又は１９に記載の情報再生方法において、
複数の前記情報単位が一つの表示単位を構成し、当該一つの表示単位を構成する複数の前記情報単位に夫々対応する前記再生許可情報が同一であることを特徴とする特徴とする情報再生方法。
【請求項２１】
請求項１８から２０のいずれか一項に記載の情報再生方法において、
前記情報単位は、ビデオパケットとオーディオパケットとを含むことを特徴とする情報再生装方法
【請求項２２】
請求項１８から２１のいずれか一項に記載の情報再生方法において、
前記付加情報は、前記再生許可情報に加えて、アドレス情報と属性情報を更に含むことを特徴とする情報再生方法。
【請求項２３】
請求項１８から２２のいずれか一項に記載の情報再生方法において、
前記制御工程においては、前記情報単位が前記所定の再生手順で再生されているかを判断し、当該所定の再生手順で再生されている場合は、当該情報単位を再生することを特徴とする情報再生方法。
【請求項２４】
請求項１８から２３のいずれか一項に記載の情報再生方法において、
前記制御工程においては、いずれかの前記情報単位の再生を禁止する場合は、当該いずれかの情報単位の直前の表示を静止画表示することを特徴とする情報再生方法。
【発明の詳細な説明】
【技術分野】
【０００１】
本願は、映像又は音声等の主情報を付加情報とともに所定の記録媒体へ記録し、又は、再生するための記録再生技術に関する。
【背景技術】
【０００２】
光ディスクは、ランダムアクセスが可能であるため、映像・音声を問わずあらゆる情報の記録媒体に使用されている。特に、ディジタルデータを記録する光ディスクは、多くの付加情報を記録することが可能なため、付加情報を用いて特殊再生に用いることが多い。特殊再生のうち、特定種類のソフトでは、通常の連続再生や検索を行う場合に再生を禁止するものがある。
【０００３】
意図的に再生を禁止するソフトの例として、ユーザとメディアとの間で双方向の情報交換が行うのがインタラクティブ再生が挙げられる。例えば、この特殊再生が可能な対話型の教育用のソフト（「問題」に対して「解答」が用意されているもの）は、通常、「問題」の部分のみを再生し、ユーザが「問題」に応えるための特定の操作を行わない限り、「解答」の部分の情報再生を禁止する。
【０００４】
また別の再生禁止を行うソフトの例として、新作映画ソフトがある。新規に封切りされる映画ソフト又は音楽ソースを市場に供給する場合、配給元となるソフト制作者又は販売会社は、販売戦略上、映画ソフト等の配給時期又は地域に制限を加えることが多い。すなわち、ソフト制作者又は販売者は、封切り映画の提供に特殊再生が可能な光ディスクを用いる。映画ソフトの封切り日時までは再生を禁止し、封切り当日から再生が許可されるような特殊再生を利用して、全世界的に封切り日時を統一したり、アジア、ヨーロッパ等の地域毎に封切り日時を変更したりする必要がある。
【０００５】
従来、光ディスクに上記のような特殊再生を行わせるため、プログラムソフトを同時に実行させるという方法があった。この方法では、光ディスクと並行して、この光ディスクのためのプログラムソフトを別の媒体等により供給する。
【０００６】
再生時、再生装置は、光ディスクの再生する際にプログラムソフトも同時に再生する。プログラムソフトは、光ディスクのアドレス情報（トラック毎等）に対応した管理プログラムを備える。光ディスクに記録された情報の表示・非表示及び条件の判断は、光ディスクと並行して再生されるこの管理プログラムによって処理される。
【０００７】
すなわち、従来の特殊再生では、光ディスクは通常の条件にしたがい記録された情報を供給する一方、別途再生される管理プログラムが光ディスクから再生された情報の表示・非表示を制御していた。
【発明の開示】
【発明が解決しようとする課題】
【０００８】
しかしながら、上記従来の方法では、光ディスクの他に管理プログラムを同時に実行させる必要があるため、再生装置はこのようなプログラムソフトの同時再生に対応した特別な仕様を備える必要がある。
【０００９】
また、特別な仕様を備えた再生装置であっても、衝撃や光ディスク上の傷、ゴミ等の影響によりトラックジャンプが生ずると、管理プログラムが想定しているトラックと実際にトレースされる光ディスク上のトラックとに食い違いが発生し、誤動作を引き起こすおそれもあった。
【００１０】
特に、高速検索においては、光ディスクの再生トラックをスキップしていくため、管理プログラムが追従していくことは困難である。このため、高速検索中に一瞬、表示すべきでない情報が映し出される危険があった。
【００１１】
上記問題点に鑑み、本願発明は、用途に応じて記録媒体の再生・非再生等の指示が正確に行える情報記録装置及び情報記録方法並びに情報再生装置及び情報再生方法を提供することを課題とする。
【課題を解決するための手段】
【００１２】
上記の課題を解決するために、請求項１に記載の発明は、記録情報に対して所定の処理を施し複数の情報単位を生成する情報単位生成手段と、各前記情報単位の夫々についてのスキャン再生及びジャンプ再生の少なくともいずれか一方を許可するか否かを示す再生許可情報を含む付加情報を生成する付加情報生成手段と、前記生成された情報単位と、前記生成された付加情報と、を、情報記録媒体に記録する記録手段と、を備え、更に前記再生許可情報が、複数の前記情報単位を予め設定された所定の再生手順に従って再生する際、当該再生許可情報が対応する前記情報単位の前に再生されるべき他の前記情報単位の最後が再生された場合に、当該再生許可情報が対応する前記情報単位の再生を許可する再生許可情報であるように構成される。
【００１３】
上記の加地を解決するために、請求項６に記載の発明は、記録情報に対して所定の処理を施し複数の情報単位を生成する情報単位生成工程と、各前記情報単位の夫々についてのスキャン再生及びジャンプ再生の少なくともいずれか一方を許可するか否かを示す再生許可情報を含む付加情報を生成する付加情報生成工程と、前記生成された情報単位と、前記生成された付加情報と、を、情報記録媒体に記録する記録工程と、を含み、更に前記再生許可情報が、複数の前記情報単位を予め設定された所定の再生手順に従って再生する際、当該再生許可情報が対応する前記情報単位の前に再生されるべき他の前記情報単位の最後が再生された場合に、当該再生許可情報が対応する前記情報単位の再生を許可する再生許可情報であるように構成される。
【００１４】
上記の課題を解決するために、請求項１１に記載の発明は、記録情報に対して所定の処理を施して夫々生成された複数の情報単位と、各前記情報単位の夫々についてのスキャン再生及びジャンプ再生の少なくともいずれか一方を許可するか否かを示す再生許可情報を含む付加情報と、が記録されている情報記録媒体であって、前記再生許可情報が、複数の前記情報単位を予め設定された所定の再生手順に従って再生する際、当該再生許可情報が対応する前記情報単位の前に再生されるべき他の前記情報単位の最後が再生された場合に、当該再生許可情報が対応する前記情報単位の再生を許可する再生許可情報である情報記録媒体を再生する情報再生装置であって、前記情報記録媒体から前記情報単位及び前記付加情報を読み取る読取手段と、前記読み取られた付加情報から前記再生許可情報を抽出する抽出手段と、前記所定の再生手順に従って前記読み取られた複数の情報単位を再生する際、前記抽出された再生許可情報の内容に基づき、当該各情報単位の夫々についてのスキャン再生及びジャンプ再生の少なくともいずれか一方を許可するか否かを判断する制御手段と、を備える。
【００１５】
上記の課題を解決するために、請求項１８に記載の発明は、記録情報に対して所定の処理を施して夫々生成された複数の情報単位と、各前記情報単位の夫々についてのスキャン再生及びジャンプ再生の少なくともいずれか一方を許可するか否かを示す再生許可情報を含む付加情報と、が記録されている情報記録媒体であって、前記再生許可情報が、複数の前記情報単位を予め設定された所定の再生手順に従って再生する際、当該再生許可情報が対応する前記情報単位の前に再生されるべき他の前記情報単位の最後が再生された場合に、当該再生許可情報が対応する前記情報単位の再生を許可する再生許可情報である情報記録媒体を再生する情報再生方法であって、前記情報記録媒体から前記情報単位及び前記付加情報を読み取る読取工程と、前記読み取られた付加情報から前記再生許可情報を抽出する抽出工程と、前記所定の再生手順に従って前記読み取られた複数の情報単位を再生する際、前記抽出された再生許可情報の内容に基づき、当該各情報単位の夫々についてのスキャン再生及びジャンプ再生の少なくともいずれか一方を許可するか否かを判断する制御工程と、を含む。
【発明を実施するための最良の形態】
【００１６】
本願の装置に係る好適な実施形態を図面を参照して説明する。
（Ｉ）第１実施形態
i)媒体記録装置の構成
図１に、本実施形態の媒体記録装置の構成図を示す。
【００１７】
本第１実施形態の媒体記録装置１００は、ガラス材料等からなる光ディスクの原盤６に、映像情報と付加情報とをそれぞれ信号処理した別のパケットデータとして記録する。本実施形態で使用する原盤は、レプリカ（複製）ディスクを製造するためのマスターディスクとなる。勿論、原盤の代わりに、記録再生が同一媒体で可能な光磁気ディスク等を記録媒体として使用してもよい。
【００１８】
コントローラ１はシステム全体を制御し、ＶＴＲ２、マスタリング装置５にそれぞれ制御信号ＳＣＶ、ＳＣＬを供給する。スイッチＳＷ１は、コントローラ１側から供給された付加情報パケットを多重ストリームデータのデータグループの先頭として付け加える。ＶＴＲ２は、１インチ等の業務用ＶＴＲであり、原盤に記録すべきソフトを再生し、映像信号ＳＶと音声信号ＳＡとを出力する。ディジタルＶＴＲであってもよい。
【００１９】
信号処理部３は、映像信号ＳＶに対し所定の信号処理を施し、信号処理した画像データＳＶ’を生成する（図３（Ａ）参照）。信号処理としては、例えば、画像データを圧縮するＭＰＥＧ（Moving Picture Expert Group）規格等の高能率符号化処理が適応される。画像データＳＶ’は、音声信号ＳＡ（同図（Ｂ）参照）とともに同期信号Ｓｙに基づいて時分割され多重化される。この結果、データグループとしての多重ストリームデータが生成される（同図（Ｃ）参照）。コントローラ１は、本願発明に係る再生許可情報を、文字その他のサブコード情報等を含む付加情報とともに出力する。スイッチＳＷ２は、付加情報中に再生許可情報を挿入し、付加情報パケットデータ（同図（Ｄ）参照）として出力する。
【００２０】
変調回路４は、多重ストリームデータをインターリーブし、インターリーブしたデータ列に誤り訂正符号（ＥＣＣデータ等）を付加する。マスタリング装置５は、インターリーブしたデータ列のオンオフ情報に対応させて、原盤６をカッティングする。発振器７は、各回路に同期信号Ｓｙを供給する。
【００２１】
なお、付加情報パケットデータは、図３（Ｃ）に示すように、データグループ毎に多重ストリームデータの冒頭に付加される。付加情報パケットデータ（同図（Ｄ））は、アドレス情報、情報の属性を含むヘッダと、本願発明に係る再生許可情報として再生許可レベル情報と、を含んで構成される。
【００２２】
ii)媒体再生装置の構成
図２に、本第１実施形態の媒体再生装置の構成図を示す。
【００２３】
本実施形態の媒体再生装置２００は、上記した媒体記録装置１００により記録された原盤６から複製された光ディスク６’を再生する装置である。
【００２４】
ピックアップ装置１２は光ディスク６’からＲＦ信号を再生し、２値化回路１３はＲＦ信号のなまった信号波形を整形し、処理可能なディジタルデータとして出力する。クロック成分検出回路１４は、ディジタルデータから基本クロック成分を検出する。発振器１９は、同期信号Ｓｙを生成する。
【００２５】
基本クロックを安定させる位相ロックループは、クロック成分検出回路１４と、発振信号と基本クロックとを比較する位相比較器２０と、位相比較出力から低域成分を抽出するローパスフィルタ２１と、光ディスク６’を回転させるスピンドルモータ２２と、前記ピックアップ装置１２と、前記２値化回路１３とから構成される。
【００２６】
復調回路１５は、ディジタルデータの誤り訂正、デインターリーブを行い、ディジタルデータをデータグループとしての多重ストリームデータ（図３（Ｃ）参照）に復調する。デマルチプレクサ１６は、各種パケットデータの集合したものとしての多重ストリームデータに含まれるブロック毎のデータを組み替えて、画像データＳＶ’（同図（Ａ））、音声信号ＳＡ（同図（Ｂ））及び付加情報セクタデータ（同図（Ｄ））を再構成する。付加情報パケットデータは、コントローラ１１に供給される。スイッチＳＷ３及びＳＷ４は、コントローラ１１の出力する選択信号Ｓ３又はＳ４に従って、再構成された画像データＳＶ’、音声信号ＳＡの各々を出力する。画像デコーダ１７は、画像データＳＶ’に対して復調処理（例えば、画像の伸張処理）を行い、映像信号ＳＶを出力する。音声デコーダ１８は、音声信号を復調し出力する。スイッチＳＷ５、ＳＷ６は、選択信号Ｓ５、Ｓ６に基づいて、映像信号ＳＶと復調された音声信号ＳＡの出力を許可し、又は、禁止する。
【００２７】
iii)記録動作の説明
本実施形態では、下表に示す再生許可指定コードを再生許可情報として使用する。
【００２８】
【表１】
2007265608.tif 000003
上記表で、再生許可指定コードは、「００ｈ（ｈは１６進数を示す。）」及び「８０ｈ」を主として使用する。残りのコードは、将来の拡張用である。将来の機能拡張を行わないなら、既に使用している制御コードのうち、余った１ビットを、本実施形態の再生許可指定ビットとして割り当て、再生許可情報にしてもよい。
【００２９】
さて、再生許可情報は、プレーヤ（再生装置）に対し、当該データグループに関する情報（映像、音声）を再生してよいか否かを指示するための情報である。媒体記録装置１００は、多重ストリームデータを生成する度に、スイッチＳＷ１をｂ側に切り換え、多重ストリームデータの冒頭に付加情報パケットデータを記録する。付加情報パケットデータを記録中、スイッチＳＷ２をｃ側からｄ側に切り換え、再生許可情報として当該再生許可指定コードを記録する。
【００３０】
図５に、当該再生許可指定コードの記録例として、教育用ソフトの例を示す。
【００３１】
図５に示すブロックは、一つの表示単位を示す。表示単位は、通常、複数の多重ストリームデータグループにより構成される。１つの表示単位を構成する複数の多重ストリームデータグループの各再生許可指定コードは、すべて同じコードを指定することになる。つまり、ブロック毎に再生が許可され、又は、再生が禁止される。
【００３２】
同図（Ａ）に示すように、教育用ソフトでは、「問題」についてのブロックは常時表示する必要がある。当該「問題」についてのブロックを構成する多重ストリームデータに含まれる全ての再生許可指定コードとして、「全てのプレーヤで再生可能」とするコード「００ｈ」を記録する。
【００３３】
これに対し、「問題」に対する「正解」又は「誤り」を表示するブロックについては、「原則として再生禁止」をするコード「８０ｈ」を記録する。
【００３４】
以上の手順により、原盤６に再生許可情報とともに情報が記録される。レプリカディスク製造工程により、当該原盤６から多量の光ディスク６’が複製される。
【００３５】
iv)再生動作の説明
次に、原盤６から複製した光ディスク６’を再生する媒体再生装置２００の動作を、図４のフローチャートを参照しながら説明する。
【００３６】
再生が開始され（ステップＳ１：ＹＥＳ）、光ディスクのインデックス等が読み取られ（ステップＳ２）、光ディスクの任意の位置に記録した情報を読み取っていくための論理アドレスのテーブルがセットされる（ステップＳ３）。
【００３７】
ユーザの指定又は冒頭から順次光ディスクを読み取ることで、所定の番地がアクセスされ、当該番地に多重ストリームデータについての付加情報パケットデータが読出される（ステップＳ４）。
【００３８】
そして、読み取った付加情報パケットデータに含まれる再生許可指定コードが上記した表のいずれに相当するかを検索する（ステップＳ５ａ〜Ｓ５ｄ）。例えば、再生許可指定コードが「００ｈ」のとき（ステップＳ５ａ：ＹＥＳ）、当該多重ストリームデータは全ての再生装置で再生が許可された情報なので（表参照）、再生処理をする（ステップＳ７）。再生許可指定コードが「８０ｈ」のとき（ステップＳ５ｃ：ＹＥＳ）、定められた手順にしたがってこの多重ストリームデータが再生されたか否かが検査される（ステップＳ６ｂ）。これを、図５（Ｂ）により説明する。
【００３９】
よりよく理解するために、記録媒体に教育用ソフトが記録された場合を例に採る。通常通り「問題」についてのブロックが再生されると、ユーザは、「問題」に対する答を図示しない入力装置を通じて、再生装置に入力する。再生装置は、「問題」のブロックの最後の点（Ａ点）を通過して、ユーザの指示した答が正解であるか否かにしたがって、「正解」のブロック又は「誤り」のブロックの何れかを再生する。これらの手順は、定められた正しい手順であるため、再生装置は、当該「正解」又は「誤り」のブロックが原則として再生を禁止する再生許可指定コード「８０ｈ」が記録されているにも関わらず、当該ブロックを再生する（ステップＳ６ｂ：ＹＥＳ）。一方、サーチ動作等を行うと、図５（Ｂ）の破線で示すように、「問題」の最後のＡ点を再生することなく、スキャンに伴うジャンプにより、いきなり「正解」のブロックが直接再生される場合がある。これらの手順は正しく「問題」ブロックのＡ点を通過していないので、誤った手順である。再生装置は、手順が正しくないと判断し、再生を禁止する（ステップＳ６ｂ：ＮＯ）。すなわち、コントローラ１１（図２）は選択信号Ｓ５及びＳ６を出力し、ＳＷ５及びＳＷ６を遮断するので、「正解」は表示されない。再生の禁止時には、直前の表示を静止画表示等する。
【００４０】
一方、図５（Ｃ）の破線で示すように、「問題１」のブロックのＡ点を正しく通過していれば、「正解１」のブロックを再生後、その途中からジャンプし、再び同じ「問題１」を再生し、又は、次の「問題２」を再生することが可能である。
【００４１】
但し、同図（Ｄ）に示すように、「問題１」のＡ点を通過することなく、次の「問題２」は再生できるが、「問題２」の途中からジャンプして「問題１」に対応する「正解１」又は「誤り１」を再生しようとしても、「問題１」のＡ点を正しく通過していない限り、「正解１」又は「誤り１」は再生されない。
【００４２】
さて、再生許可指定コードが「００ｈ」又は「８０ｈ」以外の場合で（ステップＳ５ｂ，Ｓ５ｄ：ＹＥＳ）、拡張的に設定する再生条件１〜２５６のいずれにも合致しない場合（ステップＳ６ａ、Ｓ６ｄ：ＮＯ）、再生禁止のままとなる。
【００４３】
再生手順が正しくない場合（ステップＳ６ａ〜ｄ：ＮＯ）次にアクセスすべき番地が設定され（ステップＳ１４）、新たな付加情報の読出が行われる（ステップＳ４）。
【００４４】
ブロックの途中の多重ストリームデータを再生している場合等、所定の操作を必要としない場合（ステップＳ８：ＮＯ）、ジャンプする等の番地の設定を行わず（ステップＳ１０）、メインルーチンを終了しない限り（ステップＳ１１：ＮＯ）、次の多重ストリームデータの再生を行う。
【００４５】
「問題」の最後のＡ点を再生した場合であって、所定の操作（ユーザの回答等）が行われた場合（ステップＳ８：ＹＥＳ）、定められた次の番地が設定される（ステップＳ９）。
【００４６】
メインルーチンの処理を終了した場合（ステップＳ１１：ＮＯ）はイジェクトを指示しない限り処理は続けられ（ステップＳ１２：ＮＯ）、イジェクトが指示されると（ステップＳ１２：ＹＥＳ）ディスクが排出され（ステップＳ１３）処理を終了する。
【００４７】
上記のように本第１実施形態によれば、再生許可指定コードを定めて記録することにより、再生装置において、再生手順の正当性を判断できる。したがって、スキャン、ジャンプ、逆順再生等のいかなる再生を行っても、一定の情報について誤って再生されるということがない。
【００４８】
従って、インタラクティブな再生を行うソフト（例えば、教育用ソフト、ゲーム等）の記録再生が行える。
（II）第２実施形態
i)構成の説明
本第２実施形態の媒体記録装置は、図１に示す前記第１実施形態の媒体記録装置１００と同様の構成である。但し、コントローラ１は、再生許可情報として条件付き再生許可情報を出力する。
【００４９】
本実施形態の媒体再生装置も、図２に示す前記第１実施形態の媒体再生装置２００と同様の構成である。但し、コントローラ１１は、ディップスイッチ、不揮発性ＲＡＭ等の手段により再生許可レベル２３を予め保持する。装置の初期設定の際に、メモリに当該装置固有の再生許可レベルを格納してもよい。デマルチプレクサ１６から付加情報を再生した場合は、再生付加情報から許可指定レベル２４を抽出する。さらに比較部２５は、比較結果に基づいて選択信号Ｓ３〜Ｓ６を出力する。
【００５０】
ii)動作の説明
次に、本第２実施形態の動作を図６のフローチャートを参照して説明する。
【００５１】
本実施形態では、下表に示す再生許可指定コードを再生許可情報として使用する。
【００５２】
【表２】
2007265608.tif 000004
上記表によれば、再生許可指定コードが「００ｈ」のとき、全てのプレーヤで再生が許可される。コード「０１ｈ」〜「ＦＦｈ」は、コードの指定する値が再生許可のための優先順位を示す。媒体再生装置が予め保持する再生許可レベルとこのコードが比較され、再生許可レベルが一致した場合のみ再生が許可される。一致・不一致等の条件付けは、上記表によらずメーカが任意に定めればよい。
【００５３】
ステップＳ２１〜Ｓ２４までは、第１実施形態のステップＳ１〜４と同様なので説明を省略する。
【００５４】
ステップＳ２５において、読出した多重ストリームデータについての付加情報から再生許可指定コードが抽出され、予めコントローラ１１等に保持されていた再生許可レベルと比較される。
【００５５】
ステップＳ２６では、上記表に基づいて、当該多重ストリームデータの再生の許否を判定し、再生が禁止されている場合は（ＮＯ）次の番地をアクセスし（ステップＳ２４）、再生が許可されている場合は（ＹＥＳ）再生処理を行う（ステップＳ２７）。
【００５６】
ステップＳ２８〜Ｓ３３までの動作は、図４の第１実施形態におけるステップＳ８〜Ｓ１３までの動作と同様なので、説明を省略する。
【００５７】
上記のように本第２実施形態によれば、媒体再生装置毎に再生許可レベルを設定し、この再生許可レベルと記録媒体が提供する再生許可指定コードとの間で条件が判定される。したがって、再生装置毎に再生許可レベルを設定することにより、ユーザ毎に再生させたい情報、再生させたくない情報を選択的に設定できる。
【００５８】
例えば、業務用機器における保守用の情報は、一般ユーザには必要がないものなので、保守用の情報についての再生許可指定コードを高く設定し、高い再生許可レベルを保持する業務用の機器でのみ再生させることができる。
【００５９】
また、特別の契約を締結したユーザにのみ特別の再生条件を設定した再生装置を提供することによって、一部のユーザにのみ、再生を許可させることもできる。
（III）第３実施形態
i）構成の説明
本第３実施形態の媒体記録装置は、図１に示す前記第１実施形態の媒体記録装置１００と同様の構成である。但し、コントローラ１は、下表にしたがって、第２実施形態で説明した再生許可指定コードとともに再生許可レベル更新情報を記録する。再生許可レベル更新情報によって記録されるソフトとしては、ゲームソフト等が考えられる。
【００６０】
【表３】
2007265608.tif 000005
上記表において、再生許可指定コードは、表２と同様である。再生許可レベル更新情報は、それぞれのコードで指定される指示内容にしたがってコントローラ１１に記憶する再生許可レベル２３を更新することを要求する情報である。
【００６１】
本実施形態の媒体再生装置は、第２実施形態の媒体再生装置２００と同様の構成である。但し、コントローラ１１に保持する再生許可レベル２３は、デマルチプレクサ１６から供給される付加情報が再生許可レベル更新情報である場合に、その指示にしたがって再生許可レベルを更新可能に構成する。すなわち、内部のメモリに格納される。
【００６２】
ii)動作の説明
次に、本第３実施形態の動作を図７のフローチャートにしたがって説明する。
【００６３】
当該フローチャートは、図６に示す第２実施形態のステップＳ２３以降の動作に代わるものである。ステップＳ４１〜Ｓ４４の再生処理までは、再生許可指定コードに基づく第２実施形態（図６）のステップＳ２４〜Ｓ２７と同様である。
【００６４】
記録媒体から再生された付加情報中に再生許可レベル更新情報が含まれている場合（ステップＳ４５：ＹＥＳ）、再生許可レベル更新情報が参照され、表３の指示にしたがって、コントローラ１１は、再生許可レベル２３の内容を更新する（ステップＳ４６）。
【００６５】
ステップＳ４７〜Ｓ４９は、図６の第２実施形態のステップＳ３１〜Ｓ３３と同様である。
【００６６】
よりよく理解するために、ゲームソフトを本実施形態にしたがって記録媒体に記録する場合を例に採る。ゲームソフトの中に、一種類の画面についてのゲームをクリア（完了）すると、次の段階に進み、新たな画面の新たなゲームに進展する形式のソフトがある。このようなゲームソフトを本実施形態にしたがって記録媒体に記録するには、ゲーム画面の階層毎にそのゲーム画面の再生許否を決定する再生許可指定コードを順次大きな値に変更しながら記録する。すなわち、ゲームが進展し、新たなゲーム画面に進む程、再生許可レベルが上がるように設定する。
【００６７】
このようにして記録されたゲームソフトを再生装置が再生する場合、最初のゲーム画面では、再生許可レベル更新情報が「００ｈ」（変更なし）なので、ユーザは最初の画面のみでゲームを行うことができ、他の階層のゲームはできない。
【００６８】
ところが、ユーザが最初のゲーム画面を完了すると、当該最初のゲーム画面の最後において、再生許可レベル更新情報としてコード「０１ｈ」が記載されている。このため、再生装置の再生許可レベルが１増やす処理が行われ、再生許可指定コードが「０１ｈ」である第２番目のゲーム画面が再生できるようになる。
【００６９】
再生許可レベル更新情報は、記録媒体で新作映画を供給する場合に応用できる。すなわち、再生許可レベル更新情報として、所定の条件を満たしたときのみ再生許可レベルを更新するように、再生許可レベル変更情報を設定する。例えば、所定の条件として時間を利用する。再生装置の内蔵クロックと再生許可レベル更新情報の指示する時間情報とを比較し、指示した時間を内蔵クロックが超えたとき初めて再生許可レベルを更新するように構成する。
【００７０】
したがって、営業上の理由で、特定の日時からソフトの再生を許可する場合、この封切りの日時を再生許可レベル更新情報で指定しておけば、当該日時以後にのみ、ソフトの再生が可能となる。
【００７１】
上記のように本第３実施形態によれば、記録媒体に記録された再生許可指定コードにより、再生装置の再生許可レベルを任意に変更できるので、ソフトの進行に併せて、再生可能とする情報を変更していくことができる。
【図面の簡単な説明】
【００７２】
【図１】実施形態の媒体記録装置の構成図である。
【図２】実施形態の媒体再生装置の構成図である。
【図３】記録媒体へのフォーマット例である。
【図４】第１実施形態の動作を説明するフローチャートである。
【図５】教育用ソフトにおける再生動作の説明図である。
【図６】第２実施形態の動作を説明するフローチャートである。
【図７】第３実施形態の動作を説明するフローチャートである。
【符号の説明】
【００７３】
１、１１    コントローラ
２    ＶＴＲ
３    信号処理部
４    変調回路
５    マスタリング装置
６    光ディスク
１５    復調回路
１６    デマルチプレクサ
１７    画像デコーダ
１８    音声デコーダ
【図１】
2007265608.tif 000006
【図２】
2007265608.tif 000007
【図３】
2007265608.tif 000008
【図４】
2007265608.tif 000009
【図５】
2007265608.tif 000010
【図６】
2007265608.tif 000011
【図７】
2007265608.tif 000012